Podtech/llm-jp-corpus-v4-ja_patent huggingface dataset:
(57)【要約】      （修正有）【課題】自然災害発生時に、構造物に身体拘束を受けた際、救援を待つまでの間、被災者が使用する光源、警笛、水等を内封した屋内用救命具を提供する。【解決手段】救命具本体は、直径１０ｃｍ程度の透明性のある合成樹脂形容器（球体又は円筒形でも可）で、球体の場合、半球体を捻る込式など適当な手段で一体化し球体にする。該救命具は、災害時に定位置から落下し、ＬＥＤ等の光源にスイッチが入り、点灯する。被災者は、手元に球体を引き寄せ、該救命具本体を半分に割り、必要物を取り出す。【選択図】図３
0003143959.tif 000002
【実用新案登録請求の範囲】
【請求項１】
透明な合成樹脂容器（球又は円筒形）に光源、警笛、水、塩、甘味等を封入した主に屋内用緊急救命具である。
【考案の詳細な説明】
【技術分野】
【０００１】この考案は主に自然災害、特に地震による停電、夜間、暗室、身体拘束（構造物、家具に狭まれた時）、肢体不自由の方が光源、救援信号、水、他を手元に有りて救援を待つ間の一時的に対処するものである。
【背景技術】
【０００２】自然災害に限らないが一般に災害に対処する為の品物はいろいろ考え出され店頭に数多く並べられているが、それらのものは、災害から逃がれた人が救援物資を待つ間の数日間対処する為、つなぎの意味あいが多く、災害に出会って屋内に閉じ込められた者が、緊急的に生存に対処するものが少ない、というより見あたらない、ここに生存の為の考案が時を待たずに必要と思われる。
【考案の開示】
【考案が解決しようとする課題】
【０００３】自然災害、特に地震等の災害を受けて停電、夜間、暗室、身体損傷、拘束（構造物、家具等に狭まれて）、肢体不自由な方が恐怖や救援を求めて声を上げる、一刻も早く救出しなければならない、この様な状況に立ち居たった場合、光明があれば声に換わる高音を発生する事が出来れば、喉の乾きをいやす事が出来れば、これらを解決の方向に導びければその上に安く、容易に入手出来ればと思案いたしました。
【課題を解決するための手段】
【０００４】直径１０ｃｍ程の透明性のある合成樹脂容器（球体又は同筒形）で、球体の場合、半球体を捻子込み式又は押さえ合わせる勘合式で一体化し球体にする。ここで球体の内部詳細を説明する。
光明としての点燈材は白色発光ダイオードを使用、ニクロム線電球は衝撃、時間経過等による断線のおそれがある。
電力消費量も発光ダイオードの方が低くく（１／２という事も聞く）押さえられる、電源は乾電池を使用、これにバネ式スイッチを接続する。
次に使用状況を説明する。
構造物に身体拘束を受けた場合を想定すると、この時、暗室内とすれば発光している球体が散乱しているはずである、手の届く範囲の球体を引き寄せ半分に割る、警笛（ホイッスル）を取り出し救援者に合図を送る、時間が長びけば水の補給、塩、甘味で空腹をやわらげる。
不幸にして球体に手が届かない場合にも点燈の明りがある。暗闇で救援者の様子に聞き耳を立てるより、はるかに心強いと思われる。
以上が課題解決に導くために考案しました。
【考案の効果】
【０００５】定位置より落下した球体はスイッチが入り点燈し、周囲や自身の置かれた状況を把握しやすく、心に余裕が生じ、落ちつきを取り戻せる。この球体を割り、警笛（ホイッスル）を取り出し、鳴らせば声で救援を求めるより、疲労は少なく、遠くまで合図は届く。
水分を補給し、塩、甘味で空腹を押さえる。以上の様なことが蓋然性を共ないながらも生存への気持の維持に勤める事を可能ならしめる。
【考案を実施するための最良の状態】
【０００６】この球体又は円筒形は室内上部（子供の手の届かない所）鴨居や横桟に設置し、多い程いいが最低３個位を常備し、点検怠りなくすれば万一の場合に救出、生命の維持に役立つ事になる。デパートや地下街、劇場等にも設置すれば良い、地震だけでなく、火災の煙に対しても効果があると思われる。水でタオル、衣服を濡らし煙を吸引しないように出来る。以上実施に最良の状態と思われる。
【図面の簡単な説明】
【０００７】
【図１】側面図（球体）円筒、楕円を含む。
【図２】平面図（支持台）。
【図３】合体図（球体側面図、支持台断面図）。
【図４】光源構造拡大図。
【図５】スイッチ部拡大図。
【符号の説明】
【０００８】図−１．  １．水気抜き穴３〜４個  ２．球体（緊急救命具）  ３．捻子合せ又は勘合
図−２．  １．球体設置部
図−３．  １．２．木ネジ穴  ３．支持台（断面）  ４．スイッチ用ヒモ
図−４．  １．球体  ２．発光ダイオード（白色）  ３．乾電池  ４．スイッチ用ヒモ  ５．スイッチ
図−５．  １．球体  ２．支点（固定でもよい）  ３．下げ圧力バネ  ４．接点（スイッチ）  ５．リベット  ６．スイッチ用詰め具  ７．ヒモ  Ａ．発光ダイオードへ  Ｂ．電池へ（マイナス極）
その他の内蔵品  水（耐漏水性袋に封入）、警笛（ホイッスル）  塩、甘味（適宜袋封入）
【図１】
0003143959.tif 000003
【図２】
0003143959.tif 000004
【図３】
0003143959.tif 000005
【図４】
0003143959.tif 000006
【図５】
0003143959.tif 000007
【手続補正書】
【提出日】平成20年2月14日(2008.2.14)
【手続補正１】
【補正対象書類名】実用新案登録請求の範囲
【補正対象項目名】全文
【補正方法】変更
【補正の内容】
【実用新案登録請求の範囲】
【請求項１】
転がる事に配慮した、球又は円筒形で透明な合成樹脂容器内に、光源、警笛を取り付け、容器内の余った空間に各自工夫による物を入れる様にした事を特徴とする屋内用緊急救命具。                                                                    以下余白。
【手続補正書】
【提出日】平成20年5月8日(2008.5.8)
【手続補正１】
【補正対象書類名】実用新案登録請求の範囲
【補正対象項目名】全文
【補正方法】変更
【補正の内容】
【実用新案登録請求の範囲】
【請求項１】
球形で透明な合成樹脂容器内に光源・警笛を取り付け容器内の余った空間に各自工夫による物を入れる様にした事を特徴とする屋内用緊急救命具。
(57)【要約】      （修正有）【課題】簡単な作業で組立が可能であり、飛行特性の優れた宇宙船型の凧を提供する。【解決手段】発泡スチロールなどの軽量発泡プラスチック製の板からなり、後部上面に垂直尾翼を一体に形成した胴体部と、該胴体部の下面に取り付けられた水平翼部と、からなり、該水平翼部は、前記胴体部の頭部から尾部に向かって拡幅する主翼部と尾翼部とを一体に形成した翼型平板であり、且つ前記胴体と垂直に取り付けられる。また、この凧の加工には型抜き以外にもカッターナイフ、糸鋸などが採用される。【選択図】図１
0003143911.tif 000002
【実用新案登録請求の範囲】
【請求項１】
発泡プラスチック製板からなり、後部上面に垂直尾翼を一体に形成した胴体部と、該胴体部の下面に取り付けられた水平翼部と、からなり、該水平翼部は、前記胴体部の頭部から尾部に向かって拡幅する主翼部と尾翼部とを一体に形成した翼型平板であり、且つ前記胴体と垂直に取り付けられることを特徴とする凧。
【考案の詳細な説明】
【技術分野】
【０００１】
本考案は、軽量な発泡プラスチック製板からなる宇宙船型の凧に関するものである。
【背景技術】
【０００２】
従来より、発泡プラスチックを素材として各種の凧が知られている。例えば、鳥等の胴体部を三次元形状に立体的に成形してこの胴体に一対の翼を差込んだ鳥型の凧があった。
【０００３】
しかしながら、素材が軽量な発泡プラスチックであっても、三次元形状に成形された胴体部を持った上記の凧の場合、空気抵抗が大きく、飛行の際の安定性に欠けるものであった。また、成形に多大の経費を必要とし、高価なものであった。
【０００４】
そこで、軽量発泡プラスチック板から打抜き形成された扁平な胴体形成板と、軽量発泡プラスチック板から打抜き形成され胴体形成板の背側板厚縁にその板面が上下に向くように取付けられた上背板及び下背板と、両背板間にその基端部を着脱可能に差込まれた左右一対の翼板とを備えた凧が提案されている（特許文献１参照。）。
【０００５】
また、凧本体に、頭部、主翼の翼端及び尾翼を取り付ける凧において、頭部、主翼の翼端及び尾翼を予め複数種類用意しておき、これらを選択して取り付けるように構成した凧もある（特許文献２参照。）。
【０００６】
【特許文献１】特開平８−１２６７７３号公報
【特許文献２】特開２００６−２９６７６５号公報
【考案の開示】
【考案が解決しようとする課題】
【０００７】
しかし、上記の特許文献１に記載されている凧は、軽量発泡プラスチック板を使用して複数の部材を組み合わせて立体的な鳥型凧を形成するものであり、軽量化と立体感が得られるという特徴があるが、凧の飛行特性に関しては、何らの工夫も無いものであった。
【０００８】
また、上記の特許文献２に記載されている技術は、凧の本体に対して頭部、主翼の翼端及び尾翼を予め複数種類用意して、各種の異なるデザインの凧を構成できるものであるが、多種の翼端及び尾翼などの部品を予め用意する必要があると同時に、形状に合わせた型が多数必要となるという問題点がある。
【０００９】
本考案は、上記問題点に鑑みなされたものであり、発泡プラスチック製板を使用して簡単な作業で組立てが可能であるため安価で、しかも飛行特性の優れた宇宙船型の凧を提供することを目的とするものである。
【課題を解決するための手段】
【００１０】
このため本考案の凧は、発泡プラスチック製板からなり、後部上面に垂直尾翼を一体に形成した胴体部と、該胴体部の下面に取り付けられた水平翼部と、からなり、該水平翼部は、前記胴体部の頭部から尾部に向かって拡幅する主翼部と尾翼部とを一体に形成した翼型平板であり、且つ前記胴体と垂直に取り付けられることを第１の特徴とする。
【００１１】
この凧の材質は、軽量の発泡プラスチックから構成されており、各種の抜き型による抜き加工や糸鋸などによって形成され、接着剤などによって貼り合わせて容易に組み立てられる。
【考案の効果】
【００１２】
本考案の凧は、以上のように構成されているので次のような優れた効果を有する。
（１）発泡プラスチック製板を使用しているため、軽量であると同時に、型抜きやカッターナイフ、糸鋸などによって容易に加工ができるという効果がある。
（２）水平翼部は、前記胴体部の頭部から尾部に向かって拡幅する主翼部と尾翼部とを一体に形成した翼型平板であり、且つ前記胴体と垂直に取り付けられているため、凧の空気抵抗が大きく、ほぼ垂直に上昇することができるという優れた効果がある。
【考案を実施するための最良の形態】
【００１３】
以下、本考案の実施の形態を、図面に示す実施例に基づいて説明するが、本考案が本実施例に限定されないことは言うまでもない。図１は本考案に係る凧の一実施例を示す斜視図、図２は本考案に係る凧の各部品を示す平面図である。
【実施例】
【００１４】
図１に示すように、本考案の凧１は、発泡スチロール等の発泡プラスチックからなる板材から、胴体部２、水平翼部３とを切り出し、胴体部２の下面に水平翼部３に対して垂直に接着剤によって貼り付け、さらに胴体部２の重心位置から頭部４方向の任意の位置に凧糸取付用の孔部５を形成して凧糸を取り付ける。この際、胴体部２の尾部６には垂直尾翼部７が予め形成されている。
【００１５】
図２は本考案に係る凧の各部品を示す平面図であり、図２（ａ）は胴体部を示す平面図、図２（ｂ）は水平翼部を示す平面図である。図に示すように胴体部２は発泡プラスチック製の板材を、宇宙船の胴体に相当する形状に扁平に切抜かれている。尚、胴体部２の形成はカッターナイフなどによる切り抜きでもよく、また専用の型による打ち抜きでも良い。
【００１６】
水平翼部３は胴体部２の頭部４から尾部６に向かってなだらかに拡幅する翼型に形成されている。そして、上記の胴体部２の下面に対して垂直に重ねて、接着剤によって接着して取り付けられる。
【００１７】
上記の構成からなる本考案の凧１を使用して凧揚げを行なう場合には、胴体部２の重心位置から前方の任意位置に孔部を形成して凧糸を取り付けることで凧揚げが可能となる。この際、従来の凧のように糸目を複数使用せず、しかも水平翼部を胴体部と垂直に取り付けてあるため、空気抵抗が大きく、凧が略垂直に上り、さらに釣用の竿などを使用することによってさまざまな曲芸飛行も楽しむことが可能できる。
【００１８】
以上、本考案による凧によれば、発泡プラスチック製板を使用しているため軽量であり、加工も容易であるため安価である。しかも、水平翼部が胴体と垂直に取り付けられているため、凧の空気抵抗が大きく、ほぼ垂直に上昇する宇宙船型の凧を提供することができる。
【図面の簡単な説明】
【００１９】
【図１】本考案に係る凧の一実施例を示す斜視図である。
【図２】本考案に係る凧の各部品を示す平面図である。
【符号の説明】
【００２０】
１          凧
２          胴体部
３          水平翼部
４          頭部
５          孔部
６          尾部
７          垂直尾翼部
【図１】
0003143911.tif 000003
【図２】
0003143911.tif 000004
(57)【要約】      （修正有）【課題】小便器周囲への尿の飛散を防止する男性用小便器周囲床汚れ防止具を提供する。【解決手段】男性用小便器の突出部に付帯させる便器周囲床汚れ防止具は受け皿と保持具からなり、受け皿の両側面には飛散防止枠を設け、前方には尿を小便器本体に流しやすくするために半円状の切り込みを入れ、表面には尿の飛散防止のため網状パネルを設置する。受け皿の裏側前方には固定部を設けて小便器本体に固定し、裏側後方には保持具を固定位置で取り付けて高さを調整する。保持具は安定の為に２本足とし、床面との接着部分には滑り止めの工作を施す。【選択図】図１
0003143949.tif 000002
【実用新案登録請求の範囲】
【請求項１】
１男性用小便器周囲に残尿が流れ落ちないように２受け皿の両側面の淵に６防止枠をつけたことを特徴とする男性用小便器周囲床汚れ防止具。
【請求項２】
２受け皿を男性用小便器の淵に結合して固定するための３固定部を１受け皿の裏側前方に取り付けたことを特徴とする請求項１記載の男性用小便器周囲床汚れ防止具。
【請求項３】
２受け皿の裏側後方に４保持具を取り付けて５固定位置で固定し、高さを調整することを特徴とする請求項１記載の男性用小便器周囲床汚れ防止具。
【請求項４】
２受け皿の前方には尿を小便器本体に流しやすくするために半円状の７切込みを入れたことを特徴とする請求項１記載の男性用小便器周囲床汚れ防止具。
【請求項５】
２受け皿の表面に小便飛散防止用の８網状パネルを設置したことを特徴とする請求項１記載の男性用小便器周囲床汚れ防止具。
【請求項６】
４保持具を安定させるために床面との設置部に９滑り止めをほどこしたことを特徴とする請求項１記載の男性用小便器周囲床汚れ防止具。
【考案の詳細な説明】
【技術分野】
【０００１】
本考案は、男性小便器周囲床汚れ防止具に関するものである。
【背景技術】
【０００２】
従来の男性用小便器にも飛散防止用の突出した部分は設けられている。
【０００３】
【特許文献１】実用新案登録第３０６９４３０号公報
【考案の開示】
【考案が解決しようとする課題】
【０００４】
便器メーカーによってそれぞれ尿たらしを防止するために下部を突出させて尿を受け止めようとしているが、高齢者や障がい者の場合、小便器の前に近寄ることが困難なため便器の周囲にたらしてしまい、床が不衛生になる。従って小便器に小便飛散防止のための受け皿をつけることによって、小便器周囲の汚れを防ごうというものである。
【課題を解決するための手段】
【０００５】
男性用小便器周囲床汚れ防止具として、小便器に受け皿を付帯させることによって小便器本体突出部を延長させ、受け止めた尿を小便器本体に戻すことによって小便器周囲への尿の飛散を防ぐ。
【考案の効果】
【０００６】
上述のように、受け皿を小便器に付帯させることによって、男性が小便器に近寄ることができずに放尿しても、男性用小便器周囲床汚れ防止具が受け止めることにより残尿を床にたらすことがなくなるため、床を汚すことが少なくなり、これまで新聞紙等を敷いていたことによる不潔感を解消でき、男性用小便器周囲の床を清潔に保つことで衛生面でもかなりの効果が得られる。
【考案を実施するための最良の形態】
【０００７】
１男性用小便器の突出部に付帯させる便器周囲床汚れ防止具は２受け皿と４保持具からなり、２受け皿の両側面には６飛散防止枠を設け、前方には尿を１小便器本体に流しやすくするために半円状の７切込みを入れ、表面には尿の飛散防止のため８網状パネルを設置する。２受け皿の裏側前方には３固定部を設けて１小便器本体に固定し、裏側後方には４保持具を５固定位置で取り付けて高さを調整する。４保持具は安定の為に２本足とし、床面との接着部分には９滑り止めの工作を施す。
【図面の簡単な説明】
【０００８】
【図１】１小便器本体に便器周囲床汚れ防止具の２受け皿を設置した側面図である。
【図２】２受け皿の表面を表した図である。
【図３】２受け皿の裏面を表した図である。
【符号の説明】
【０００９】
１  男性用小便器本体
２  受け皿
３  固定部
４  保持具
５  固定位置
６  飛散防止枠
７  切り込み
８  飛散防止網状パネル
９  滑り止め
【図１】
0003143949.tif 000003
【図２】
0003143949.tif 000004
【図３】
0003143949.tif 000005
(57)【要約】      （修正有）【課題】カードの記録変更の際に、ステッカーを貼着したまま記録変更用の機械装置に挿入することにより生じるトラブルを防止することができるカード用ステッカーを提供する。【解決手段】カードに貼着及び剥離自在のステッカーであり、カードに貼着したままではカードの記録変更用の機械装置に挿入が不可能となる厚さのカード用ステッカー、好ましくは、前記厚さが、０．５〜１ｍｍであり、さらに好ましくは、前記厚さを、表面に印刷面２を有する基板１と、該基板１の裏面に接着され反対面に微細な発泡フォーム層４を有する吸盤シート材３で形成してなるカード用ステッカー。【選択図】図１
0003143941.tif 000002
【実用新案登録請求の範囲】
【請求項１】
カードに貼着及び剥離自在のステッカーであり、カードに貼着したままではカードの記録変更用の機械装置への挿入が不可能となる厚さに形成されたことを特徴とするカード用ステッカー。
【請求項２】
前記厚さが０．５〜１ｍｍであることを特徴とする請求項１に記載のカード用ステッカー。
【請求項３】
前記厚さを、表面に印刷面を有する基板と、該基板の裏面に接着され反対面に微細な発泡フォーム層を有する吸盤シート材で形成したことを特徴とする請求項１又は２に記載のカード用ステッカー。
【考案の詳細な説明】
【技術分野】
【０００１】
本考案は、ＩＣカード及び磁気カード用のステッカーに関するものであり、カードの記録変更の際に、ステッカーを貼着したままでは記録変更用の機械装置への挿入を不可能にして記録変更用の機械装置を保護することを目的とする。
【背景技術】
【０００２】
近時、チャージ型の定期券及び乗車券など、記録を変更して使用する非接触型のＩＣカード、その他、磁気カードが提供されている。それらのカードは、長期間使用すると表面が磨耗して表面に表示された情報が読みにくくなり、また、使用者が不快感を感じる場合があり、さらに、表面に表示された情報が第三者に盗み視されて個人情報が漏れるなどのおそれがあった。
【０００３】
上記事情に鑑み、これまでに、カードの表面に透明の粘着シートを貼着してカードを効率よく保護する考案（実開平５−５８３５号公報）が提供されている。
【０００４】
さらに、カード表面の情報の盗み視などによる安全上の問題を回避し、カード表面の磨耗を防ぐとともに、カードを元の意匠とは異なる別の意匠に見せることができるカード用ステッカーが提案されている。（実用新案登録第３１３９０３９号公報）。該カード用ステッカーは、表面に適宜絵柄、文字などが印刷されて裏面に再剥離性接着剤層が形成されている。
【特許文献１】実開平５−５８３５号公報
【特許文献２】登録実用新案第３１３９０３９号公報  前記粘着シート及びカード用ステッカーは、カード等に貼着して使用され、そのままカードの記録変更用の機械装置に挿入されるものであった。
【０００５】
すなわち、不注意により、チャージ等の記録変更のために前記粘着シートあるいはカード用ステッカーを貼着したままのカードを記録変更用の機械装置に挿入すると、前記粘着シート及びカード用ステッカーの表面に変更事項が表示されるものであった。
【０００６】
さらに、前記記録変更用の機械装置への挿入時あるいは返還時に、前記粘着シートあるいはカード用ステッカーがカードから剥離するおそれがあり、前記粘着シートあるいはカード用ステッカーがカードから剥離して前記粘着シートあるいはカード用ステッカーが記録変更用の機械装置の内部に貼着したり、詰まったりして該機械装置の損傷など、トラブルを招くおそれがあった。
【考案の開示】
【考案が解決しようとする課題】
【０００７】
本考案は、前記事情に鑑み、カードの記録変更の際には、ステッカーを貼着したままでは記録変更用の機械装置への挿入を不可能にして、事前に剥離を告知して前記のごときトラブルを防止しようとするものである。
【課題を解決するための手段】
【０００８】
本考案のカード用ステッカーは、カードに貼着及び剥離自在のステッカーであり、カードに貼着したままではカードの記録変更用の機械装置への挿入が不可能となる厚さに形成されたことを特徴とする（請求項１）。
【０００９】
本考案によれば、ユーザーがチャージなど、カードの記録変更のためにステッカーを貼着したままのカードを記録変更用の機械装置の挿入口に近づけた場合に、すぐに、挿入が不可能であること及びステッカーを剥離すべきことに気付き、その後は、ステッカーを剥離して、カードのみを記録変更用の機械装置に挿入して目的を達することができる。
【００１０】
本考案の実施の一形態は、前記ステッカーの厚さが、０．５〜１ｍｍであることを特徴とする（請求項２）。この実施の形態では、ステッカーの厚さが０．５ｍｍ以下の場合には、カードに貼着しても汎用されている記録変更用の機械装置に挿入される可能性があり、また、１ｍｍ以上ではかさばりが感じられ、定期券入れ、財布などに対する取り扱いが面倒になるものである。
【００１１】
本考案の他の実施の一形態は、前記厚さを、表面に印刷面を有する基板と、該基板の裏面に接着され、反対面に微細な発泡フォームを有する吸盤シートで形成したことを特徴とする（請求項３）。
【００１２】
この実施の一形態では、いわゆる、カード面に対して、いわゆる再剥離性接着剤を使用せず、糊残りなどのベタベタ感や汚れ感のない、微細な発泡フォームを有する吸盤シートを使用するものである。したがって、取り扱い時の感触も良好である。
【考案の効果】
【００１３】
本考案によれば、ステッカーを貼着したままのカードを不注意で記録変更用の機械装置へ挿入することが防止され、したがって、カード挿入により記録変更用の機械装置に生じるトラブルを完全に防止することができる。その他、カード及び個人情報の保護を図ることができ、基板の表面に各種印刷を施して販売促進商品として最適である効果が得られる。
【考案を実施するための最良の形態】
【００１４】
以下、本考案の実施の一形態を図面に基づいて説明する。図１は、拡大断面図である。図中、１は、表面２に新商品キャンペーン、キャラクターイラストなどを印刷表示したアート紙、ホイル紙等の基板であり、３は、前記基板１の裏面に接着され、反対面に微細な発泡フォーム層４を有するアクリル樹脂等からなる吸盤シート材である。
【００１５】
また、図中、５は、前記吸盤シート３の発泡フォーム層４に吸着された剥離紙、６は、前記基板１の表面２の印刷表示面を保護するポリプロピレン等の透明フィルムであり必要に応じて設けられる。
【００１６】
本考案では、前記剥離紙５を除き、前記基板１及び吸盤シート３、さらに、透明フィルム６の厚さＳが０．５〜１ｍｍの厚さに形成される。その結果、カード（図示せず）に貼着したままではカードの記録変更用の機械装置への挿入が不可能となるものである。
【００１７】
前記本考案のカード用ステッカーの製造は、前記透明フィルム６が貼り合わせた基板１、前記吸盤シート３及び剥離紙５を重ね合わせて一体にした後、打ち抜き加工により容易に製造することができる。
【図面の簡単な説明】
【００１８】
【図１】本考案の実施の一形態を示し、カード用ステッカーの断面図である。
【符号の説明】
【００１９】
１    基板
２    印刷面
３    吸盤シート材
４    発泡フォーム層
５    剥離紙
【図１】
0003143941.tif 000003
(57)【要約】      （修正有）【課題】各種の椅子類に対して利用ができ、利用者が安心して使える磁気クッション体を提供する。【解決手段】複数の磁気浮上緩衝体を有する磁気クッション体であって、該磁気浮上緩衝体は上下に対向して配置された極性の異なる磁石体からなり、前記磁気クッション体の本体内において夫々離間して配置され、また前記磁気浮上緩衝体の少なくとも上部には鉄板からなる磁気遮断層を配設して構成する。このクッション体を各種の椅子類に載せて使用する。【選択図】図１
0003143910.tif 000002
【実用新案登録請求の範囲】
【請求項１】
複数の磁気浮上緩衝体を有する磁気クッション体であって、該磁気浮上緩衝体は上下に対向して配置された極性の異なる磁石体からなり、前記磁気クッション体の本体内において夫々離間して配置され、また前記磁気浮上緩衝体の少なくとも上部には鉄板からなる磁気遮断層を配設したことを特徴とする磁気クッション体。
【考案の詳細な説明】
【技術分野】
【０００１】
本考案は、磁気クッション体に関し、とくに椅子類に好適に使用できる磁気クッション体を提供するものである。
【背景技術】
【０００２】
従来、椅子類の座部にクッション性を持たせる技術として、スプリング等のバネ部材を使用するものや、ウレタン樹脂、合成ゴム等の部材を使用するものが数多く提案されている。また、磁石の反発力を利用する椅子並びにベンチ、ソファー、スツールもある（特許文献１参照。）。しかしながら、この磁石を使ったクッション技術は磁気による各種の電子機器に対する障害に対しては何らの対処もできないものであった。
【０００３】
そこで、本考案者は、実用新案登録第３０８０６９７号「車椅子」において、座席の乗り心地が良く、且つ車輪回転の労力を軽減した車椅子を提案した（特許文献２参照。）。
【０００４】
【特許文献１】特開２００４−１０５６６９号公報
【特許文献２】実用新案登録第３１２５２４４号公報
【考案の開示】
【考案が解決しようとする課題】
【０００５】
しかし、上記の特許文献２で提案した車椅子の場合、磁石の磁気に対して銅板による磁気防御手段が講じられているが、このクッション体は、車椅子用に構成されており、他の椅子に載せて使用できるのものではなかった。
【０００６】
本考案は、上記問題点に鑑みなされたものであり、先に出願登録した車椅子のクッション技術をさらに改良して発展させ、利用者が各種椅子類に載せて利用できる磁気クッション体を提供することを目的とする。
【課題を解決するための手段】
【０００７】
このため本考案の磁気クッション体は、複数の磁気浮上緩衝体を有する磁気クッション体であって、該磁気浮上緩衝体は上下に対向して配置された極性の異なる磁石体からなり、前記磁気クッション体の本体内において夫々離間して配置され、また前記磁気浮上緩衝体の少なくとも上部には鉄板からなる磁気遮断層を配設したことを特徴とする。
【考案の効果】
【０００８】
本考案の磁気クッション体は、以上のように構成されているので、利用者が携帯型の電子機器などを持ったまま座っても、電子機器が誤作動などを生じることが無いというすぐれた効果を有する。しかも、各種の椅子類に対して移動して載せるだけで利用が可能であり、利用用途が広いという効果がある。
【考案を実施するための最良の形態】
【０００９】
以下、本考案の実施の形態を、図面に示す実施例に基づいて説明するが、本考案が本実施例に限定されないことは言うまでもない。図１は、本考案に係る磁気クッション体の一実施例を示す斜視図、図２は図１のＡ−Ａ線断面説明図である
【実施例】
【００１０】
図１は、本考案の磁気クッション体１を車椅子に使用した例を示しており、クッション本体２と、クッション本体２内に取り付けられ、磁極がＮ極或いはＳ極の同極を対向して上下に配置された一対の磁石３、４からなる複数の磁気浮上緩衝体５と、から構成され、さらに磁気浮上緩衝体５の磁石３とクッション本体２との間には鉄板からなる磁気遮蔽層（図示せず）が設けられ、車椅子１０の座席に載置して利用可能とされている。
【００１１】
この磁気浮上緩衝体５は、図２に示すように、クッション本体２の中に適宜な間隔にて配置され、磁石３、４の横方向への移動を規制する緩衝部材６によって位置決めされて固定され、クッション本体２の上下方向からの加圧によって磁石３、４は垂直方向に反発或いは圧縮し、クッション性を発揮する。
【００１２】
そして、磁気浮上緩衝体５の磁石３、４の少なくとも一つの上方には、クッション本体２との間に鉄板からなる磁気遮断層７が形成されており、磁気クッション体１の利用者が、電子機器類を携帯してこのクッション本体２を椅子類に載置して座っても、磁気による電子機器のトラブルを生じることがない。尚、本実施例のクッション本体２は天然皮革、合成皮革、合成樹脂、天然繊維類など既存のクッション体に使用される素材であれば何れも使用が可能であり、クッション本体２内の緩衝部材６はウレタン樹脂、合成ゴムなどが好適に使用される。そして、上記磁石３、４はクッション本体２の内面或いは磁気遮断層７に接着材によって接着して固定される。
【００１３】
上記の構成からなる磁気クッション体１は、構造が簡単であり可搬性を有しているため、本実施例の車椅子に限らず椅子類であれば、どのような形態であっても載置して使用が可能である。
【００１４】
以上、本考案による磁気クッション体によれば、複数の上下に対向して配置された極性の異なる磁石体から構成された磁気浮上緩衝体を、前記磁気クッション体の本体内において夫々離間して配置しているため、各種の椅子類に対して載せるだけで利用が可能であり、しかも前記磁気浮上緩衝体の少なくとも上部には鉄板からなる磁気遮断層を有しているため利用者が携帯する電子機器などに誤作動が生じない。
【図面の簡単な説明】
【００１５】
【図１】本考案に係る車椅子の一実施例を示す斜視図である。
【図２】図１のＡ−Ａ線断面説明図である。
【符号の説明】
【００１６】
１          磁気クッション体
２          クッション本体
３、４      磁石
５          磁気浮上緩衝体
６          緩衝部材
７          磁気遮断層
１０          車椅子
【図１】
0003143910.tif 000003
【図２】
0003143910.tif 000004
(57)【要約】      （修正有）【課題】乗用者又は選手がより省エネルギーで、乗り及び（又は）坂登りをすることができる変速自転車を提供する。【解決手段】変速自転車のギア改良を提供し、主に変速自転車のリアギアセット１の１０枚目、即ち最大外径のギアのギア数１１を本来の２７ギア数から３０ギア数以上にし、そして、３２ギア数が一番よいものである。それにより、リアギアセットの１０枚目のギア及びフロントギアセットの回転速度比が１：１に近いため、乗用者又は選手がより省エネルギーで、乗り及び（又は）坂登りをすることができる。【選択図】図１
0003143936.tif 000002
【実用新案登録請求の範囲】
【請求項１】
変速自転車のリアギアセットにおける１０枚目の最大外径のギアのギア数を３０ギア以上にすることを特徴とする変速自転車のギア。
【請求項２】
前記リアギアセットにおける１０枚目の最大外径のギアのギア数は、３２ギア数であることを特徴とする請求項１に記載の変速自転車のギア。
【考案の詳細な説明】
【技術分野】
【０００１】
この考案は、リアギアセットにおける１０枚目の最大外径のギアのギア数を増加して、より省エネルギーの変速自転車のギアになるものである。    
【背景技術】
【０００２】
従来の最大変速の自転車はリア１０段変速、即ち、リアホイールセットは計１０セットのギアであり、図三は、従来の変速自転車の１０枚目のギアの平面イメージだが、図面から分かるように、従来の１０枚目のギアＡの最大ギア数Ａ１は２７〜２９ギア数で、それ以上突破できない状態となっており、このギア数Ａ１は２７〜２９ギア数で、ギアＢが一回りまわると、リアギアセットの１０枚目のギアＡは一回りまわっていないため  （図四の通り、ギア内の矢印）、乗用者がより力を入れなければならないし、そして、長時間乗ったり、坂上ったりする場合、省エネルギーが有効に達成されない。また、従来の１０枚目のギアＡのギア数Ａ１を２９ギア数以上にする場合、チェーンの長さ、フロント・リア変速器の設計を変える必要があるので、ユーザが余計な費用を掛けて、悩みのもとにもなる。  
【考案の開示】
【０００３】
この考案の主要目的は、変速自転車のギア改良を提供し、主に変速自転車のリアギアセットの１０枚目における最大外径のギアのギア数を、３０ギア数以上に上げることにより、リアギアセットの１０枚目の最大外径のギア及びフロントギアセットの回転速度が１：１に近いため、既存の変速自転車のチェーン及びフロント・リア変速器を変える必要がなく、リアギアセットの１０枚目における最大外径のギアのギア数を増加して、より省エネルギーの変速自転車のギアになり、乗用者又は選手がより省エネルギーで、乗り及び（又は）  坂登りをすることができる。  
【０００４】
この考案の次の目的は、変速自転車のギア改良を提供し、リアギアセットにおいて、１０枚目の最大外径のギアのギア数は３２ギア数が最もよいのである。
【実施例】
【０００５】
図一は、この考案の平面イメージだが、図面からわかるように、この考案は変速自転車のギア改良であり、主に変速自転車のリアギアセットの１０枚目、即ち最大外径のギア１のギア数１１を本来の２７ギア数から３０ギア数以上にし、そして、３２ギア数が一番よい。それにより、リアギアセットの１０枚目の最大外径のギア１及びフロントギアセットＢの回転速度比が１：１（図二）に近いため、既存の変速自転車のチェーン及びフロント・リア変速器を変える必要がなく、リアギアセットの１０枚目における最大外径のギアのギア数を増加して、より省エネルギーの変速自転車のギアになり、乗用者又は選手がより省エネルギーで、乗り及び（又は）坂登りをすることができる。
【図面の簡単な説明】
【０００６】
【図１】この考案の平面イメージである。
【図２】この考案及びフロントギアセットの回転速度比の平面イメージである。
【図３】従来の変速自転車の１０枚目ギアの平面イメージである。
【図４】従来の変速自転車の１０枚目における最大外径のギア及びフロントギアセットの回転速度比の平面イメージである。
【符号の説明】
【０００７】
Ａ     リアギア                
Ａ１   ギア数
Ｂ     大チェーンホイール  
１     リアギア                
１１   ギア数
【図１】
0003143936.tif 000003
【図２】
0003143936.tif 000004
【図３】
0003143936.tif 000005
【図４】
0003143936.tif 000006
(57)【要約】      （修正有）【課題】適度な高さを有した四角形以上の多角形状の受皿に、装飾と機能溝を設けた構造の鍋料理専用卓上ガス焜炉受皿を提供する。【解決手段】装飾を施した陶磁器製受け皿の、左右の対角にガス焜炉の点火・火力調整・消火作業用の開放部２をもうけ、該受け皿の底部に、土鍋噴き零れ水溜凹溝として、土鍋底部同等凹溝５または、卓上ガス焜炉脚凹溝あるいは該土鍋底部同等凹溝５および卓上ガス焜炉脚凹溝を兼ねる共用凹溝６を設ける。受け皿は、陶磁器でなくても、金属製やプラスチック製であっても良い。【選択図】図３
0003143969.tif 000002
【実用新案登録請求の範囲】
【請求項１】
適度な高さを有した四角形以上の多角形状の、卓上ガス焜炉受皿であって、座卓を飾る受皿に、陶磁器製装飾受皿を特徴とする卓上ガス焜炉陶磁器受皿。
【請求項２】
卓上ガス焜炉の点火並びに火力調整・消火作動スイッチ摘み部に左右開放を対角に設けた請求項1記載の卓上ガス焜炉受皿。
【請求項３】
前記受皿に、土鍋吹き零れ水溜凹溝を設けた請求項１記載の卓上ガス焜炉受皿。
【請求項４】
前記受皿に卓上ガス焜炉脚部凹溝を設けた請求項1記載の卓上ガス焜炉受皿。
【請求項５】
前記受皿に、土鍋を積み重ねる凹溝を設けた請求項1記載の卓上ガス焜炉受皿。
【請求項６】
前記受皿に、請求項３．４・５凹溝を共有する凹溝請求項１記載の卓上ガス焜炉受皿。
【考案の詳細な説明】
【技術分野】
【０００１】
本実用新案は陶磁器製卓上ガス焜炉受皿に関する。
【背景技術】
【０００２】
新規性に付きデータ無し。
【特許文献１】無し
【考案の開示】
【考案が解決しようとする課題】
【０００３】
本実用新案は、座卓に於いて卓上ガス焜炉で土鍋を使用するとき、卓上ガス焜炉は金属製である。飲食時に使用する器は全て陶磁器であるので、座卓に於いて卓上ガス焜炉は雰囲気になじまない。受皿に器と同等陶磁器受皿を置くことに依り、座卓の雰囲気がより一層増す。
【課題を解決するための手段】
【０００４】
本実用新案は、卓上ガス焜炉受皿を使用することで、座卓雰囲気に同質感が生じる。
【０００５】
上記受皿に、土鍋吹き零れ水溜溝を設けることは、吹き零れ時に凹溝に溜まるので、吹き零れなく座卓美化につながる。
【０００６】
上記受皿に、ガス卓上焜炉脚部凹溝を設けることは、土鍋を置いたときに、受皿と焜炉に連結が生じ、飲食に於いて安全である。
【０００７】
上記受皿に、土鍋底部と同等の凹溝を設けることは、受皿の上に土鍋、受皿の上に土鍋と順に積み重ねが出来るので収納スペースに於いて、受皿と土鍋の収納が有利に確保出来る。
【０００８】
上記受皿に、卓上ガス焜炉の点火並びに火力調整、消火スイッチ摘み部を左右対角に開放部を設けることは、座卓に於いて焜炉設置が簡単に出来る。
【考案の効果】
【０００９】
本実用新案受皿は、座卓にて土鍋料理を食べる食器類は全て陶磁器であり、卓上ガス焜炉は金属製であるので受皿に置くことで、材質同質感が生まれ、受皿に装飾を施すことで、なお一層の座卓飲食雰囲気作りが出来る。
【００１０】
本実用新案受皿は、内部底面に土鍋吹き零れ水止め凹溝が設けてあるので、料理最中万が一吹き零れても受皿内に留まり座卓を汚さない。
【００１１】
本実用新案受皿は、内部底面に卓上ガス焜炉脚の凹溝が設けてあるので、受皿と卓上ガス焜炉の連結ができ、飲食に於いて安定である。
【００１２】
本実用新案受皿は、土鍋底部と同等の凹溝が設けてあるので、受皿と土鍋（蓋は反対にして鍋内に収納）と一緒に保管、又、積み重ねることもできるので、収納スペースも簡単に確保ができる。
【００１３】
本実用新案受皿は、卓上ガス焜炉の点火、火力調整、消火に於いて、受皿にスイッチ摘みが作動出来るように左右対角に開放部が設けてあるので、座卓に於いて双方どちらからでも焜炉をセットできる。
【考案を実施するための最良の形態】
【００１４】
本実用新案の形態を、図面に基づいて詳しく説明する。
【実施例１】
【００１５】
図１．Ａは本実用新案の受皿の、適度な高さを有した四角形以上の多角形形状で装飾を施した９の斜視図であり、Ｈは卓上ガス焜炉、Ｋは土鍋の斜視図である。
【実施例２】
【００１６】
図２．Ｂは本実用新案の受皿の、卓上ガス焜炉の点火、火力調整、消火のスイッチ摘みの作動が出来るように左右対角に開放部2を実施示した斜視図である。
【実施例３】
【００１７】
図２．Ｃは本実用新案の受皿の、内部底面３に土鍋吹き零れ水溜凹溝３の斜視図である。
【実施例４】
【００１８】
図２．Ｄは本実用新案の受皿の、内部底面４に卓上ガス焜炉脚凹溝の斜視図である。
【実施例５】
【００１９】
図３．Ｅは本実用新案の受皿の、土鍋底部同等凹溝５の斜視図である。
【実施例６】
【００２０】
図３．Ｆは本実用新案の受皿の、図Ｃの土鍋吹き零れ水溜・図Ｄの卓上ガス焜炉脚・図Ｅの土鍋底部同等の凹  溝、それぞれの凹溝６を共有の斜視図である。
【実施例７】
【００２１】
図３．Ｇは本実用新案の受皿に、装飾を施した実施を示した斜視図である。
【図面の簡単な説明】
【００２２】
【図１】本実用新案受皿Aで、Hは卓上ガス焜炉、Ｋは土鍋の斜視図である。
【図２】Ｂは卓上ガス焜炉の点火・火力調整・消火摘み部作動部の対角開放斜視図である。Ｃは内部底部に土鍋吹き零れ水溜凹溝の斜視図である。Ｄは卓上ガス焜炉脚凹溝の斜視図である。
【図３】Ｅは内部底部に土鍋底部同等凹溝の斜視図である。Ｆは図Ｃ、Ｄ、Ｅの凹溝を共有した凹溝の斜視図である。Ｇは装飾を施した斜視図である。
【符号の説明】
【００２３】
Ａ：本実用新案卓上ガス焜炉受皿
Ｈ：卓上ガス焜炉
Ｋ：土鍋
１：本実用新案受皿
２：卓上ガス焜炉の点火・火力調整・消火作動スイッチ摘み開放部
３：土鍋吹き零れ水溜凹溝
４：卓上ガス焜炉脚凹溝
５：土鍋底部同等凹溝
６：上記３・４・５の共有凹溝
７：卓上ガス焜炉作動スイッチ摘み
８：土鍋蓋
９：装飾
【図１】
0003143969.tif 000003
【図２】
0003143969.tif 000004
【図３】
0003143969.tif 000005
【手続補正書】
【提出日】平成20年5月11日(2008.5.11)
【手続補正１】
【補正対象書類名】実用新案登録請求の範囲
【補正対象項目名】全文
【補正方法】変更
【補正の内容】
【実用新案登録請求の範囲】
【請求項１】
適度な高さを有した四角形以上の多角形状の、卓上ガス焜炉受皿であって、座卓を飾る受皿に、陶磁器製装飾受皿を特徴とする卓上ガス陶磁器受皿。
【請求項２】
卓上ガス焜炉の点火並びに火力調整・消火作動スイッチ摘み部に左右開放を対角に設けた請求項１記載の卓上ガス焜炉受皿。
【請求項３】
前記受皿に、土鍋吹き零れ水溜凹溝を設けた請求項１記載の卓上ガス焜炉受皿。
【請求項４】
前記受皿に卓上ガス焜炉脚部凹溝を設けた請求項１記載の卓上ガス焜炉受皿。
【請求項５】
前記受皿に、土鍋を積み重ねる凹溝を設けた請求項１記載の卓上ガス焜炉受皿。
(57)【要約】      （修正有）【課題】市販のライターに固定具と付属品を設け、安易に取り外すことができないことで、紛失や盗難を防止することができるライター固定具を提供する。【解決手段】市販のライターの外周に、金属加工した板を特殊ネジ２でしめて、ワイヤーロープ又はチェーン等３を付けて壁４等に固定する。本体１の内側に滑り止めのためのゴムラバー５等を貼る（ライターの形状等により後付使用可）ことで、ライターの紛失や盗難の予防に役立つ。【選択図】図１
0003143967.tif 000002
【実用新案登録請求の範囲】
【請求項１】
市販のライターの外周に金属加工した板と特殊ネジを設け、内側に滑り止めのためのゴムラバー等を貼り（必要時後付）、ワイヤーロープ又はチェーン等の強度のあるひも状のものを付けて壁等にねじで装着するライター固定具及び付属品一式
【考案の詳細な説明】
【技術分野】
【０００１】  本考案は、市販のライターの外周に金属加工した板を特殊ネジで固定し、付属品であるワーヤーロープ又はチェーン等、強度のあるひも状のものと滑り止めのゴムラバー等を貼り付け、壁等にねじで固定しライターの紛失や盗難を予防することに関するものである。
【背景技術】
【０００２】  病院や施設等において火災等の安全管理をする場合に、ライターの手頃な固定具がなく、紛失や盗難することが問題であった。
【考案の開示】
【考案が解決しようとする課題】
【０００３】  病院や施設に入っている方（精神的障害者や認知的障害者など）の安全を守るために、常にライターの管理には人的・物的な負担があった。大きい固定具や高価なライターを使用することはスペースの面や病院や施設の経済的負担もあり、また、利用者の使い勝手も悪くなる。従って、本考案の固定具を市販のライターに装着することにより、利用者が使いやすく、安全管理がしやすくなり前述の欠点を解決しようとするものである。
【課題を解決するための手段】
【０００４】  本考案は、市販のライターの外周に、本体である金属加工した板に特殊ネジを設け、ライターのガスがなくなったら、ねじを緩めて取り替えることができるようにする。また、ライターを使用するときに固定具が邪魔にならない箇所で締めるようにする。付属品であるワイヤーロープ又はチェーン等強度なひも状のものを本体に付けて、ねじで壁等に固定する。特殊ねじで閉めることと、滑り止めのゴムラバー等を貼ることで、ライターが簡単に紛失や盗難にあうというような問題点を解決している。
【考察の効果】
【０００５】  上述の様に、本考案の紛失盗難予防ライター固定具及び付属品一式を使用することにより、紛失や盗難の防止に役立つ。
【図面の簡単な説明】
【０００６】
【図１】本考案の紛失盗難予防ライター固定具及び付属品の実施例を示す正面図である。
【図２】紛失盗難予防ライター固定具本体の側面図である。
【符号の説明】
【０００７】１  ライター固定具本体
２  特殊ネジ
３  ワイヤーロープ、チェーン、強度のあるひも状のもの
４  壁等への留め金
５  ゴムラバー等の滑り止め
【図１】
0003143967.tif 000003
【図２】
0003143967.tif 000004
【手続補正書】
【提出日】平成20年5月9日(2008.5.9)
【手続補正１】
【補正対象書類名】実用新案登録請求の範囲
【補正対象項目名】請求項１
【補正方法】変更
【補正の内容】
【請求項１】
本体（１）を締めるために本体に取り付けられた、いたずら防止ねじ（２）であって、特別の器具によってのみ取り外し可能であり、本体（１）に開いている一対の穴に通すようになっており、一端にいたずら防止ねじを取り付けるための環状部を有し、他端に固定対象物に固定するための環状部（４）を有し、強度のあるひも状部材（３）を有した紛失・盗難防止を特徴としたライター固定具
(57)【要約】      （修正有）【課題】歯間ブラシを別に使用しなくても歯の１本１本を丁寧に磨くことができる歯ブラシを提供する。【解決手段】歯ブラシのブラシ部分をＵ字カットを連続した形状に変えることで、Ｕ字カットのブラシ面の底の部分が歯の表面に接し、Ｕ字カットのブラシ面の長い部分の先端が歯間に入り込み、歯の表面と歯間を同時に磨くことができる。【選択図】図１
0003143963.tif 000002
【実用新案登録請求の範囲】
【請求項１】
歯ブラシのブラシ部分の形状にＵ字カットを連続したものを採用することで、Ｕ字カットのブラシ面の底の部分が歯の表面に接し、Ｕ字カットのブラシ面の先端部分が歯間に入り込む状態になり、歯の表面と歯間を同時に磨くことができる。
【考案の詳細な説明】
【技術分野】
【０００１】
本考案は歯ブラシのブラシ部分に関する
【背景技術】
【０００２】
従来の歯ブラシはブラシ面が平坦か山なりである
【考案の開示】
【考案が解決しようとする課題】
【０００３】
しかし、ブラシ面と歯の表面のカーブとが同じような形となっていないため、ブラシの先端のほとんどが歯の表面に接するだけで、歯間部分においてはブラシが相互に歯間に入るのを邪魔し合うため、ブラシの先が入らない状況であり、歯間ブラシを別に使用しなければ汚れを落とせない。
【課題を解決するための手段】
【０００４】
そこで、歯ブラシのブラシ部分をＵ字にカットし、そのＵ字カットを連続させた形状にする。（図  １）
【考案の効果】
【０００５】
歯ブラシのブラシ部分をＵ字カットを連続させた形状に変えることで、Ｕ字カットのブラシ面の底の部分が歯の表面に接し、Ｕ字カットのブラシ面の長い部分の先端が歯間に入り込む状態になり、歯の表面と歯間を同時に磨くことができる。また、Ｕ字カットのブラシ面の先端が歯間に入り込むことで歯の1本1本を丁寧に磨くことができることになる。
【考案を実施するための最良の形態】
【０００６】
当歯ブラシはブラシ部分をＵ字カットを連続した形状とし、Ｕ字カットのブラシ面の長い部分の先端が歯間に入り込みやすくするため、長い方のブラシの長さをＵカットブラシ面の底の部分のブラシの長さより歯の厚さに合わせ２から3ミリほど長くすることで、歯間部分にブラシが十分入り込み、大部分の歯の裏側までブラシが到達できることから、歯間に詰まっているものを取り除くことができる。また、Ｕカットのブラシ面の底の部分の幅は大人用、児童用など歯の大きさにより幾通りかの歯ブラシを作製する。
【図面の簡単な説明】
【０００７】
【図１】当歯ブラシの側面図である。
【図２】当歯ブラシの平面図である。
【符号の説明】
【０００８】
１    ブラシ部
２    柄部
【図１】
0003143963.tif 000003
【図２】
0003143963.tif 000004
【手続補正書】
【提出日】平成20年5月13日(2008.5.13)
【手続補正１】
【補正対象書類名】実用新案登録請求の範囲
【補正対象項目名】全文
【補正方法】変更
【補正の内容】
【実用新案登録請求の範囲】
【請求項１】
歯ブラシのブラシ部分の形状にＵ字カットを連続したものを採用することで、Ｕ字カットのブラシ面の底の部分が歯の表面に接し、Ｕ字カットのブラシ面の先端部分が歯間に入り込む状態になり、歯の表面と歯間を同時に磨くことができる歯間ブラシ兼用Ｕカット歯ブラシ。
【手続補正３】
【補正対象書類名】図面
【補正対象項目名】全図
【補正方法】変更
【補正の内容】
【図１】
0003143963.tif 000005
【図２】
0003143963.tif 000006
(57)【要約】      （修正有）【課題】歯磨き後の歯ブラシに溜まる汚れを、手軽にかつ歯ブラシを磨耗させる事なく、洗浄し清潔に保つ事ができるようにした歯ブラシぶらし付歯磨き粉容器を提供する。【解決手段】歯磨き粉のキャップ部分２に歯ブラシぶらし３を装着し、歯磨き後の都度、これで歯ブラシをブラッシングすることで毛先・根元の汚れを掻き出し清潔に保つ事ができるようにした。歯ブラシぶらしは歯磨き粉容器と一体の為、別管理の必要もなく携帯にも差し支えない。【選択図】図１
0003143964.tif 000002
【実用新案登録請求の範囲】
【請求項１】
歯ブラシの毛先や根元部分を掃除して清潔に保つ為のブラシを歯磨き粉のキャップ部分につける。
【請求項２】
前期歯ブラシ用ぶらしは抗菌樹脂製であり、歯磨き粉のキャップ部分に付ける事で、歯磨きの都度手軽に利用でき、歯磨き粉と同じタイミングで使い換えできる。
【請求項３】
前期歯ブラシ用ぶらしにもキャップを付ける事でほこり等を避け、またスタンド式の歯磨き粉にも装着が可能。
【請求項４】
既存の歯磨き粉にも貼り付けて利用できる後付タイプとして裏面がシール面になった歯ブラシ用ぶらし部分のみのものもある。
【考案の詳細な説明】
【技術分野】
【００１】この考案は、歯ブラシの毛先や根元を手軽に掃除する為のブラシで、歯ブラシを磨耗させずに清潔に保つ事はできるようにしたものである。
【背景技術】
【００２】従来は、指で歯ブラシの毛先を押し広げて洗うしかなかった。
【考案の開示】
【００３】歯磨き後、歯ブラシの毛先や根元に挟まった汚れを取ろうとすると指で圧を加えながら毛先を押し広げて洗う為、なかなかきれいにならない上、歯ブラシの磨耗を早めてしまうという問題点があった。
【課題を解決するための手段】
【００４】歯ブラシの毛を傷めず手軽に掃除ができるよう、抗菌樹脂製の歯ブラシぶらし３を歯磨き粉のキャップ２に装着するようにした。その歯ブラシぶらしにキャップ４を付ける事で清潔に保管できスタンド式の歯磨き粉にも対応できる。また、シール面のある後付タイプを利用して既存の歯磨き粉にも装着できる。
【考案の効果】
【００５】ぶらし３で歯ブラシの根元からブラッシングして汚れを掻き出すので、容易に歯ブラシの奥まで行き届き歯ブラシを清潔に保つ事ができる。
また、歯磨き粉に装着する事で別管理の煩わしさも無く、歯磨き後その都度手軽に掃除することができ、歯磨き粉と同じタイミングで使い換えできる。
【実施例】
【００６】歯ブラシぶらしのキャップ４を開けて装着されたぶらし３で、使用後の歯ブラシをブラッシングして、毛先や根元の汚れを掻き出す。
【図面の簡単な説明】
【００７】
【図１】考案した歯ブラシぶらし付歯磨き粉を示す立体図である。
【００８】
【図２】考案した歯ブラシぶらしの後付けタイプ（シール面付）示す立体図である。
【００８】
【図３】本考案の使用状態を示す立体図である。
【符号の説明】
【００９】１  歯磨き粉の本体
２  歯磨き粉のキャップ部分
３  歯ブラシぶらし
４  歯ブラシぶらし用キャップ
５  後付タイプの歯ブラシぶらしのシール面
６  歯ブラシ
【図１】
0003143964.tif 000003
【図３】
0003143964.tif 000004
【手続補正書】
【提出日】平成20年5月15日(2008.5.15)
【手続補正１】
【補正対象書類名】実用新案登録請求の範囲
【補正対象項目名】全文
【補正方法】変更
【補正の内容】
【実用新案登録請求の範囲】
【請求項１】
歯磨き粉キャップ（２）天井部分に歯ブラシぶらし（３）を設けた歯ブラシぶらし付歯磨き粉容器。
【請求項２】
歯磨き粉キャップ（２）に歯ブラシぶらし用キャップ（４）を設けた請求項１記載の歯ブラシぶらし付歯磨き粉容器。
【手続補正２】
【補正対象書類名】明細書
【補正対象項目名】全文
【補正方法】変更
【補正の内容】
【考案の詳細な説明】
【技術分野】
【００１】  この考案は、歯磨き粉キャップ（２）天井部分に歯ブラシをブラッシングして洗浄する為の歯ブラシぶらし（３）を設けた、歯ブラシぶらし付歯磨き粉容器に関するものである。
【背景技術】
【００２】  従来は、使用後の歯ブラシは指で歯ブラシの毛先を押し広げて洗うしかなかった。
【考案の開示】
【考案が解決しようとする課題】
【００３】  歯磨き後、歯ブラシの毛間や根元に挟まった汚れを取ろうとすると、指で圧を加えながら毛先を押し広げて洗う為、歯ブラシの磨耗を早めてしまう上、なかなかきれいに汚れが取れないという問題点があった。
本考案は以上のような欠点を無くすためになされたものである。
【課題を解決するための手段】
【００４】  歯磨き粉キャップ（２）天井部分に歯ブラシぶらし（３）を設け、さらに歯ブラシぶらし用キャップ（４）を設ける。
本考案は以上の構成によりなる歯ブラシぶらし付歯磨き粉容器である。
【考案の効果】
【００５】  歯ブラシをブラッシングして洗浄するので、歯ブラシの毛を摩耗させる事なく効率よく洗浄することができる。歯ブラシぶらしは歯磨き粉容器と一体の為、別管理の必要もなく携帯にも差し支えない。歯ブラシぶらし用キャップを閉めると歯磨き粉本体を立てて保管できる。
【実施例】
【００６】  歯磨き粉と一体になった歯ブラシぶらしで、歯磨き粉本体を持って歯磨き後の歯ブラシをブラッシングして洗浄すればよい。
【図面の簡単な説明】
【００７】
【図１】  考案した歯ブラシぶらし付歯磨き粉容器を示す斜視図である。
【符号の説明】
【００８】  １    歯磨き粉本体
２    歯磨き粉キャップ
３    歯ブラシぶらし
４    歯ブラシブラシ用キャップ
【手続補正３】
【補正対象書類名】図面
【補正対象項目名】全図
【補正方法】変更
【補正の内容】
【図１】
0003143964.tif 000005